【事件の表示】
　平成　９年特許願第　４９９６５号「編集装置及び編集方法」拒絶査定不服審判事件〔平成１０年　９月１４日出願公開、特開平１０−２４８０４８、請求項の数（１８）〕について、次のとおり審決する。
【結　論】
　原査定を取り消す。
　本願の発明は、特許すべきものとする。
【理　由】
１．本願発明
　
　本願の請求項に係る発明は、平成１９年２月８日付け手続補正書により補正された特許請求の範囲の請求項１ないし１８に記載された次のものである。
　
「【特許請求の範囲】
　【請求項１】
　編集対象の映像信号を記録した再生側記憶手段より、大まかに設定されたイン点近傍およびアウト点近傍の映像信号を選択的に入力して記憶する作業用の記憶手段と、
　前記作業用の記憶手段に記録した前記イン点近傍およびアウト点近傍の映像信号をプレビューさせ、入力手段を介して検出されるオペレータの操作に応動して、前記大まかに設定されたイン点および／またはアウト点の変更を受け付けて前記イン点及びアウト点を詳細に設定し、編集リストを作成する編集リスト作成手段と、
　前記編集リストに基づいて、前記再生側記憶手段の動作を制御して、前記編集対象の映像信号を編集する編集制御手段と
　を備えることを特徴とする編集装置。
　　【請求項２】
　前記編集リスト作成手段は、
　入力手段を介して検出されるオペレータの操作に応動して、特殊効果に関する情報を取得し、前記編集リストに前記特殊効果に関する情報を含ませる
　ことを特徴とする請求項１に記載の編集装置。
　　【請求項３】
　前記作業用の記憶手段に前記映像信号を記録する際に、前記映像信号の解像度を低減する
　ことを特徴とする請求項１に記載の編集装置。
　　【請求項４】
　前記プレビューの際に、
　所定の表示手段を介して、前記作業用の記憶手段に記録した前記映像信号を再生してプレビューの映像を表示し、
　前記作業用の記憶手段に記録されていない前記映像信号については、前記作業用の記憶手段に記録された映像信号による静止画を表示する
　ことを特徴とする請求項１に記載の編集装置。
　　【請求項５】
　前記プレビューの際に、
　所定の表示手段を介して、前記作業用の記憶手段に記録した前記映像信号を再生してプレビューの映像を表示し、
　前記作業用の記憶手段に記録されていない前記映像信号については、前記再生側記憶手段に記憶された映像信号のタイムコードを表示する
　ことを特徴とする請求項１に記載の編集装置。
　　【請求項６】
　前記編集制御手段は、
　前記特殊効果に関する情報に基づいて、前記再生側記憶手段から映像信号を前記作業用の記憶手段に取り込み、取り込んだ映像信号をフィルタリング処理して出力する
　ことを特徴とする請求項２に記載の編集装置。
　　【請求項７】
　前記特殊効果に関する情報は、
　特殊効果による遷移を有するイン点およびアウト点を含み、
　前記編集制御手段は、
　前記特殊効果による遷移を有するイン点および前記アウト点により定義される遷移期間の映像信号を前記再生側記憶手段から前記作業用の記憶手段に取り込み、前記取り込んだ遷移期間の映像信号をフィルタリング処理して出力する
　ことを特徴とする請求項６に記載の編集装置。
　　【請求項８】
　前記編集制御手段により編集された映像信号を記録する記録側記憶手段を備え、
　前記編集制御手段は、
　前記編集リストに特殊効果に関する情報が含まれる場合、前記遷移期間の映像信号を前記作業用の記憶手段から読み出して前記記録側記憶手段に出力し、
　前記遷移期間の映像信号以外の映像信号を前記再生側記憶手段から読み出して前記記録側記憶手段に出力する
　ことを特徴とする請求項７に記載の編集装置。
　　【請求項９】
　前記フィルタリング処理は、
　複数の映像信号を合成して出力する処理でなる
　ことを特徴とする請求項６に記載の編集装置。
　　【請求項１０】
　前記編集リスト作成手段は、
　前記プレビューの際に、前記プレビューされている映像信号に対応する帯グラフを表示すると共に、前記イン点および前記アウト点のタイムコードを前記帯グラフの近傍に表示させる
　ことを特徴とする請求項１に記載の編集装置。
　　【請求項１１】
　前記編集リスト作成手段は、
　前記プレビューの際に、１以上の前記特殊効果に対応したアイコンを表示させ、
　入力手段を介して検出されるオペレータの前記アイコンに対する操作に応動して、前記プレビューされている映像信号に対応する特殊効果に関する情報を取得する
　ことを特徴とする請求項２に記載の編集装置。
　　【請求項１２】
　編集対象の映像信号を記録した第１の記憶領域から、選択的に入力される大まかに設定されたイン点近傍およびアウト点近傍の映像信号を第２の記憶領域に記憶させる記憶制御手段と、
　前記第２の記憶領域に記録した前記イン点近傍およびアウト点近傍の映像信号をプレビューさせ、入力手段を介して検出されるオペレータの操作に応動して、前記イン点および／またはアウト点の変更を受け付けて前記イン点及びアウト点を詳細に設定し、編集リストを作成する編集リスト作成手段と、
　前記編集リストに基づいて、前記第１の記憶領域に記録された前記映像信号を選択的に再生して、前記編集対象の映像信号を編集する編集制御手段と
　を備えることを特徴とする編集装置。
　　【請求項１３】
　前記編集リスト作成手段は、
　入力手段を介して検出されるオペレータの操作に応動して、特殊効果に関する情報を取得し、前記編集リストに特殊効果に関する情報を含ませる
　ことを特徴とする請求項１２に記載の編集装置。
　　【請求項１４】
　前記編集制御手段は、
　前記特殊効果に関する情報に基づいて、前記第１の記憶領域から映像信号を前記第２の記憶領域に取り込み、取り込んだ映像信号をフィルタリング処理して出力する
　ことを特徴とする請求項１３に記載の編集装置。
　　【請求項１５】
　前記特殊効果に関する情報は、
　特殊効果による遷移を有するイン点およびアウト点を含み、
　前記編集制御手段は、
　前記特殊効果による遷移を有するイン点および前記アウト点により定義される遷移期間の映像信号を前記第１の記憶領域から前記第２の記憶領域に取り込み、前記取り込んだ遷移期間の映像信号をフィルタリング処理して出力する
　ことを特徴とする請求項１４に記載の編集装置。
　　【請求項１６】
　前記編集制御手段により編集された映像信号を記録する記録側記憶手段を備え、
　前記編集制御手段は、
　前記編集リストに特殊効果に関する情報が含まれる場合、前記遷移期間の映像信号を前記第２の記憶領域から読み出して前記記録側記憶手段に出力し、
　前記遷移期間の映像信号以外の映像信号を前記第１の記憶領域から読み出して前記記録側記憶手段に出力する
　ことを特徴とする請求項１５に記載の編集装置。
　　【請求項１７】
　編集対象の映像信号を記録した再生側記憶手段より、選択的に入力される大まかに設定されたイン点近傍およびアウト点近傍の映像信号を作業用の記憶手段に記憶する映像信号記憶のステップと、
　前記作業用の記憶手段に記録した前記イン点近傍およびアウト点近傍の映像信号をプレビューさせ、入力手段を介して検出されるオペレータの操作に応動して、前記イン点および／またはアウト点の変更を受け付けて前記イン点及びアウト点を詳細に設定し、編集リストを作成する編集リスト作成のステップと、
　前記編集リストに基づいて、前記再生側記憶手段の動作を制御して、前記編集対象の映像信号を編集する編集制御のステップと
　を備えることを特徴とする編集方法。
　　【請求項１８】
　編集対象の映像信号を記録した第１の記憶領域から、選択的に入力される大まかに設定されたイン点近傍およびアウト点近傍の映像信号を第２の記憶領域に記憶させる映像信号記憶のステップと、
　前記第２の記憶領域に記録した前記イン点近傍および前記アウト点近傍の映像信号をプレビューさせ、入力手段を介して検出されるオペレータの操作に応動して、前記イン点および／またはアウト点の変更を付け付けて前記イン点及びアウト点を詳細に設定し、編集リストを作成する編集リスト作成のステップと、
　前記編集リストに基づいて、前記第１の記憶領域に記録された前記映像信号を選択的に再生して、前記編集対象の映像信号を編集する編集制御のステップと
　を備えることを特徴とする編集方法。　」
　
２．原審拒絶査定の概要
　
（１）平成１８年８月７日付け拒絶理由通知は、本願発明は、
　　　１．特開平７−２３３２８号公報
　　　２．特開平５−１０１６０９号公報
の刊行物に記載された発明に基いて、当業者が容易に発明をすることができたものであり、特許法第２９条第２項の規定により特許を受けることができない、というものである。
　
（２）平成１８年１１月１０日付け拒絶査定は当該拒絶理由に基づくものであり、出願人の主張する本願発明と引用刊行物記載の発明との差異について、特開平７−４６４６２号公報（【００４２】段落）に記載されている周知技術にすぎない旨が付されている。
　
３．引用刊行物の記載
　
（１）刊行物１（特開平７−２３３２８号公報）には、編集対象の映像を記憶する手段と、記憶された映像をモニタ出力する手段と、編集内容を編集情報として記憶する手段と、を有し、該編集情報にしたがって、自動で編集を行う発明が記載されている。
　
（２）刊行物２（特開平５−１０１６０９号公報）には、ソースＶＴＲと宛先ＶＴＲ、ディスクドライブからなる編集システムであって、編集が完了すると、編集デシジョンリストによって実際のエディティングがなされる編集システムにおいて、各情景の始めと終わりの数秒のみをディスクに記憶する発明が記載されている。
　
（３）拒絶査定において付記提示された特開平７−４６４６２号公報（以下、刊行物３とする）には、編集の際に、イン点やアウト点を変更する手段を設ける周知技術が示されている。
　
（４）審判請求時の補正に対する前置審査における前置報告書において新たに提示された特開平８−８７８６８号公報（以下、刊行物４とする）には素材テープの映像信号をディスクに記録する手段を有し、設定済みの編集点の少し前から動画を再生し、修正作業に応じて編集点を修正する発明が記載されている。
　
４．当審の判断
　
（ア）本願発明の主要構成（独立請求項である請求項１、１２および１７、１８に共通する構成）は、次のように分節整理される。
　　(1)編集対象の映像信号を記録した再生側記憶手段より、大まかに設定されたイン点近傍およびアウト点近傍の映像信号を選択的に入力して記憶する作業用の記憶手段を備える。
　　(2)前記作業用の記憶手段に記録した前記の映像信号をプレビューさせる。
　　(3)プレビュー画面において、入力手段を介して検出されるオペレータの操作に応動して、前記大まかに設定されたイン点および／またはアウト点の変更を受け付けて前記イン点及びアウト点を詳細に設定し、編集リストを作成する編集リスト作成手段を備える。
　　(4)編集リストに基づいて、前記再生側記憶手段の動作を制御して、前記編集対象の映像信号を編集する。
　
　以下、これらの構成を包含するものを本願発明として、引用あるいは提示された刊行物に記載の発明と対比、判断する。
　
　本願発明において、入力され、プレビューされる「大まかに設定されたイン点近傍およびアウト点近傍の映像信号」とは、明細書の発明の詳細な説明の記載（例えば【００２７】段落、【００４７】段落）および図面（図５、図１０等）を参酌すると、１つの「編集素材」における「イン点近傍およびアウト点近傍」のビデオ信号ＩＳ及びＯＳであることが明らかである。
　
　したがって、本願発明において、「大まかに設定されたイン点近傍およびアウト点近傍の映像信号を選択的に入力して記憶する作業用の記憶手段を備え」て「前記作業用の記憶手段に記録した前記の映像信号をプレビューさせる」とは、１つの編集素材のイン点近傍「および」アウト点近傍の映像信号を表示することを意味する。
　
　そして本願発明は、該１つの編集素材についてのイン点“及び”アウト点を詳細に設定して編集リストを作成し、このリストに基づいて「再生側記憶手段の動作を制御して、前記編集対象の映像信号を編集する」ものである。
　
（イ）刊行物２（特開平５−１０１６０９号）には、ソースＶＴＲと宛先ＶＴＲ、ディスクドライブからなる編集システムであって、編集が完了すると、編集デシジョンリストによって実際のエディティングがなされる編集システムにおいて、各情景の始めと終わり、すなわち本願発明におけるイン点近傍およびアウト点近傍の数秒のみをディスクに記憶する発明が記載されている。（特に【００１０】段落）
　
　しかしながら、該発明は、各情景の始めと終わりの数秒のみをディスクに記憶することが何を目的としたものであるかは明らかでない。イン点およびアウト点の位置を詳細に設定しようとすることを該発明から把握することはできない。
　したがって、この発明を拒絶査定（拒絶理由）における刊行物１（特開平７−２３３２８号）に記載の発明に適用することの契機が存在しない。　
　
（ウ）刊行物４（特開平８−８７８６８号）には、素材テープの映像信号をディスクに記録する手段を有し、設定済みの編集点の少し前から動画を再生し、修正作業に応じて編集点を修正する点は記載されている。（特に【００３０】段落、第【００３６】段落）
　しかしながら、ここでの「編集点」は既に編集されているデータに対する修正であるものの、「１つの編集素材」のイン点近傍およびアウト点近傍の映像信号を入力して所定の処理を行うものではない。また、ここで「編集点を修正」とはどういう概念か明確でない。
　また、該刊行物に記載されているものは、【０００７】段落〜【００１０】段落および【００１６】段落の記載から、従来技術が、ディスクには全ての映像信号が記録されるものであり、その改良発明である実施例は静止画を別領域に記憶する点に特徴があるものであって、ディスクには全ての映像信号が取り込まれるものと解される。　【００３０】段落〜【００３６】段落には、編集時にディスクに装置２１に記録されている全ての画像信号に対して編集点の少し前のアドレスを指定して“再生”する発明が記載されているのであって、編集点の少し前のアドレスを指定してソース側ＶＴＲからディスクへ画像データを取り込むことは記載されていない。
　すなわち、刊行物４に記載の発明は、刊行物１に記載の発明と同様、全ての時間の画像データをディスクに記録しているものであるから、これに刊行物２（特開平５−１０１６０９号）に記載の発明を適用することの契機が存在しない。
　また、該刊行物４に記載に記載されている、“編集時に”編集点の少し前のアドレスを指定して“再生”する、という発明を、“ディスクへのデータ取込時”に必要な箇所のみを“記録”するように変更するという思想は何れの刊行物の記載からも生起しない。
      
（エ）なお、各刊行物に記載された夫々の公知発明の要素を採用し、これを組み合わせることによって、本願発明と同様の発明が構築はされるが、夫々の公知発明を結び付ける契機を、何れの刊行物の記載からは見出すことはできない。
　したがって、本願発明は、引用刊行物及び提示された他の刊行物に記載された発明に基づいて当業者が容易に発明をすることができたとすることはできない。
　
　また、他の拒絶理由も見いだせない。
　
　そして、独立請求項である請求項１、１２および１７、１８以外の他の請求項は、これら何れかの請求項を引用するものであるから、該他の請求項については検討するまでもなく、引用刊行物及び提示された他の刊行物に記載された発明に基づいて当業者が容易に発明をすることができたとすることはできない。
　また、該他の請求項について他の拒絶理由も見いだせない。
　
　よって、結論の如く審決する。